(57)【要約】【課題】  無駄なエネルギの消費を抑え、消費電力を低減することが可能な通信装置を提供する。【解決手段】  通信装置は、複数の物理回線を１本の論理回線として束ねるリンクアグリゲーション機能を用いて複数の入力回線に対して集約を行う回線集線手段（７）を含み、複数の入力回線各々の帯域を監視する複数の監視手段（カウンタ収集部２−０〜２−ｎ、カウンタ統計処理部３−０〜３−ｎ）と、監視手段による回線の帯域の監視結果に応じて複数の入力回線を動的に振り分ける振り分け手段（カウンタ集計部４、回線制御管理部５、回線集線管理部６）とを有し、振り分け手段により現在使用している帯域に合わせて使用回線のみを使用することを特徴とする。【選択図】      図１
2011244225.tif 000002
【特許請求の範囲】
【請求項１】
複数の物理回線を１本の論理回線として束ねるリンクアグリゲーション機能を用いて複数の入力回線に対して集約を行う回線集線手段を含む通信装置であって、
前記複数の入力回線各々の帯域を監視する複数の監視手段と、前記監視手段による回線の帯域の監視結果に応じて前記複数の入力回線を動的に振り分ける振り分け手段とを有し、
前記振り分け手段により現在使用している帯域に合わせて使用回線のみを使用することを特徴とする通信装置。
【請求項２】
前記振り分け手段は、未使用の入力回線に対して回線閉塞を行いかつ当該入力回線に対応する機能に対してリセットによる機能停止を行うことを特徴とする請求項１記載の通信装置。
【請求項３】
前記入力回線からのパケットを通過させる入力制御手段を含み、
前記監視手段は、前記入力制御手段を通過するパケットを計数するパケットカウンタと、前記パケットカウンタのカウンタ数に対して一定時間単位の統計処理を行うカウンタ統計処理手段とを含み、
前記振り分け手段は、前記入力回線の閉塞を行う場合、前記入力制御手段と前記パケットカウンタと前記カウンタ統計処理手段とに対して前記機能停止を行うためのリセット指示を行い、前記入力制御手段、前記パケットカウンタ、前記カウンタ統計処理手段の機能を停止させることを特徴とする請求項２記載の通信装置。
【請求項４】
前記振り分け手段は、前記入力回線の開放を行う場合、前記入力制御手段と前記パケットカウンタと前記カウンタ統計処理手段とに対して指示しているリセット指示を解除し、前記入力制御手段、前記パケットカウンタ、前記カウンタ統計処理手段の機能を動作させることを特徴とする請求項３記載の通信装置。
【請求項５】
前記振り分け手段は、前記カウンタ統計処理手段から通知される統計処理の結果を集計し、その集計した統計処理の結果と予め設定した第１の閾値及び第２の閾値と比較し、前記第１の閾値を超えた場合に前記入力回線の閉塞解除を行い、前記第２の閾値を下回った場合に前記入力回線の閉塞を行うことを特徴とする請求項３または請求項４記載の通信装置。
【請求項６】
複数の物理回線を１本の論理回線として束ねるリンクアグリゲーション機能を用いて複数の入力回線に対して集約を行う回線集線手段を含む通信装置であって、
前記複数の入力回線各々の帯域を監視する複数の監視手段と、前記監視手段による回線の帯域の監視結果を前記リンクアグリゲーションを構築している対向機器へ通知することで前記複数の入力回線を振り分ける振り分け手段とを有し、
前記振り分け手段により受動的に前記入力回線の閉塞と閉塞解除とを行うことを特徴とする通信装置。
【請求項７】
前記対向機器からの前記入力回線の閉塞と閉塞解除との状態によって前記入力回線が閉塞されたと判断した場合に自装置の入力回線をリセット処理により機能停止することを特徴とする請求項６記載の通信装置。
【請求項８】
複数の物理回線を１本の論理回線として束ねるリンクアグリゲーション機能を用いて複数の入力回線に対して集約を行う回線集線手段を含む通信装置に用いる消費電力低減方法であって、
前記通信装置が、前記複数の入力回線各々の帯域を監視する監視処理と、前記監視処理による回線の帯域の監視結果に応じて前記複数の入力回線を動的に振り分ける振り分け処理とを実行し、
前記振り分け処理により現在使用している帯域に合わせて使用回線のみを使用することを特徴とする消費電力低減方法。
【請求項９】
複数の物理回線を１本の論理回線として束ねるリンクアグリゲーション機能を用いて複数の入力回線に対して集約を行う回線集線手段を含む通信装置に用いる消費電力低減方法であって、
前記通信装置が、前記複数の入力回線各々の帯域を監視する監視処理と、前記監視処理による回線の帯域の監視結果を前記リンクアグリゲーションを構築している対向機器へ通知することで前記複数の入力回線を振り分ける振り分け処理とを実行し、
前記振り分け処理により受動的に前記入力回線の閉塞と閉塞解除とを行うことを特徴とする消費電力低減方法。
【請求項１０】
複数の物理回線を１本の論理回線として束ねるリンクアグリゲーション機能を用いて複数の入力回線に対して集約を行う回線集線手段を含む通信装置内の中央処理装置に実行させるプログラムであって、
前記複数の入力回線各々の帯域を監視する監視処理と、前記監視処理による回線の帯域の監視結果に応じて前記複数の入力回線を動的に振り分ける振り分け処理とを含み、
前記振り分け処理により現在使用している帯域に合わせて使用回線のみを使用させることを特徴とするプログラム。
【発明の詳細な説明】
【技術分野】
【０００１】
本発明は通信装置及びそれに用いる消費電力低減方法並びにそのプログラムに関し、特にＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．３ａｄで標準化されているリンクアグリゲーションの振り分け機能に関する。
【背景技術】
【０００２】
上記のリンクアグリゲーションは、伝送効率を上げるため、複数の物理回線を１本の論理回線として束ねる技術である（例えば、特許文献１，２参照）。この技術には、複数の物理回線を障害発生時に切替える予備回線として使用する冗長方式と、固定的に物理回線を振り分ける方式とがある。
【０００３】
これらいずれの方式も、物理回線を集約した総帯域に対して実際回線を利用している帯域が小さい場合、集約した物理回線の一部が余剰回線となり、余剰回線で消費する電力も無視できない値である。
【０００４】
現在利用されているリンクアグリゲーション機能で対応している振り分けは、１＋Ｎ冗長、ＭＡＣ（Ｍｅｄｉａ  Ａｃｃｅｓｓ  Ｃｏｎｔｒｏｌ）アドレス、ＶＬＡＮ（Ｖｉｒｔｕａｌ  Ｌｏｃａｌ  Ａｒｅａ  Ｎｅｔｗｏｒｋ）−ＩＤ（ＩＤｅｎｔｉｆｉｅｒ）毎に回線固定振り分けといった、静的に設定する方法である。
【先行技術文献】
【特許文献】
【０００５】
【特許文献１】特開２００２−００９８６６号公報
【特許文献２】特開２００７−１８０８９１号公報
【発明の概要】
【発明が解決しようとする課題】
【０００６】
しかしながら、上記の回線固定振り分けといった、静的に設定する方法では、予備回線の余剰となる確率が高く、余剰となった回線が消費する電力が無駄になるという課題がある。
【０００７】
そこで、本発明の目的は上記の問題点を解消し、無駄なエネルギの消費を抑え、消費電力を低減することができる通信装置及びそれに用いる消費電力低減方法並びにそのプログラムを提供することにある。
【課題を解決するための手段】
【０００８】
本発明による通信装置は、複数の物理回線を１本の論理回線として束ねるリンクアグリゲーション機能を用いて複数の入力回線に対して集約を行う回線集線手段を含む通信装置であって、
前記複数の入力回線各々の帯域を監視する複数の監視手段と、前記監視手段による回線の帯域の監視結果に応じて前記複数の入力回線を動的に振り分ける振り分け手段とを備え、
前記振り分け手段により現在使用している帯域に合わせて使用回線のみを使用している。
【０００９】
本発明による他の通信装置は、複数の物理回線を１本の論理回線として束ねるリンクアグリゲーション機能を用いて複数の入力回線に対して集約を行う回線集線手段を含む通信装置であって、
前記複数の入力回線各々の帯域を監視する複数の監視手段と、前記監視手段による回線の帯域の監視結果を前記リンクアグリゲーションを構築している対向機器へ通知することで前記複数の入力回線を振り分ける振り分け手段とを備え、
前記振り分け手段により受動的に前記入力回線の閉塞と閉塞解除とを行っている。
【００１０】
本発明による消費電力低減方法は、複数の物理回線を１本の論理回線として束ねるリンクアグリゲーション機能を用いて複数の入力回線に対して集約を行う回線集線手段を含む通信装置に用いる消費電力低減方法であって、
前記通信装置が、前記複数の入力回線各々の帯域を監視する監視処理と、前記監視処理による回線の帯域の監視結果に応じて前記複数の入力回線を動的に振り分ける振り分け処理とを実行し、
前記振り分け処理により現在使用している帯域に合わせて使用回線のみを使用している。
【００１１】
本発明による他の消費電力低減方法は、複数の物理回線を１本の論理回線として束ねるリンクアグリゲーション機能を用いて複数の入力回線に対して集約を行う回線集線手段を含む通信装置に用いる消費電力低減方法であって、
前記通信装置が、前記複数の入力回線各々の帯域を監視する監視処理と、前記監視処理による回線の帯域の監視結果を前記リンクアグリゲーションを構築している対向機器へ通知することで前記複数の入力回線を振り分ける振り分け処理とを実行し、
前記振り分け処理により受動的に前記入力回線の閉塞と閉塞解除とを行っている。
【００１２】
本発明によるプログラムは、複数の物理回線を１本の論理回線として束ねるリンクアグリゲーション機能を用いて複数の入力回線に対して集約を行う回線集線手段を含む通信装置内の中央処理装置に実行させるプログラムであって、
前記複数の入力回線各々の帯域を監視する監視処理と、前記監視処理による回線の帯域の監視結果に応じて前記複数の入力回線を動的に振り分ける振り分け処理とを含み、
前記振り分け処理により現在使用している帯域に合わせて使用回線のみを使用させることを特徴とする。
【発明の効果】
【００１３】
本発明は、上記のような構成及び動作とすることで、無駄なエネルギの消費を抑えることを可能とし、装置の消費電力を低減することができるという効果が得られる。
【図面の簡単な説明】
【００１４】
【図１】本発明の実施の形態による通信装置の構成例を示すブロック図である。
【図２】図１に示す通信装置の動作を示すフローチャートである。
【図３】図１に示す通信装置の動作を示すフローチャートである。
【図４】図１に示すカウンタ集計部内部で管理している振り分け、振り分け解除を判断するための閾値イメージを示す図である。
【発明を実施するための形態】
【００１５】
次に、本発明の実施の形態について図面を参照して説明する。まず、本発明による通信装置の概要について説明する。本発明による通信装置は、リンクアグリゲーション機能によって集線している回線において、対向機器から受信するパケットの流量を監視し、流量に応じて集線回線の予備回線を閉塞／解除することによって、集線回線で消費する電力を制御し、集線回線の余剰電力を低減することを特徴としている。
【００１６】
本発明では、リンクアグリゲーション機能によって集線している回線を、パケットカウンタによる回線の帯域の監視結果によって動的に振り分けすることで、現在使用している帯域に合わせて使用回線のみを使用することを可能とし、かつ、未使用の回線については回線閉塞を行うことによって関連する機能に対してリセットによる機能停止を行い、閉塞解除時に発生していた電力を抑えることを可能としている。
【００１７】
つまり、本発明による省電力化では、リンクアグリゲーション機能に特化し、リンクアグリゲーション機能によって論理的に束ねた物理ポートのうち使用しないポートを論理的に閉塞することによって、消費する電力を抑えている。
【００１８】
また、本発明による省電力化では、回線振り分けによって予備回線のポートを開放、閉塞している。
【００１９】
ポート閉塞時については、入力制御部、カウンタ収集部及びカウンタ統計処理部に対して、機能停止を行うためのリセット指示を行う。リセット指示によって、入力制御部、カウンタ収集部及びカウンタ統計処理部の機能が停止し、これによって消費する電力が低減される。
【００２０】
ポート開放時については、入力制御部、カウンタ収集部及びカウンタ統計処理部に指示しているリセット指示を解除することによって、各機能が動作し、予備回線の使用が可能となる。
【００２１】
本発明による通信装置では、入力制御部において通過するパケットに対して、カウンタ収集部にて通過したパケットのカウンタ数の結果を収集し、カウンタ統計処理部にてそのカウンタ数の結果に対して一定時間単位の統計処理を行う。カウンタ集計部では、その統計処理の結果が予め設定されている閾値を超えた場合、リンクアグリゲーションを構成する予備回線＃１以降への振り分けを行うため、回線集線部によって予備回線の増設の準備、予備回線＃１以降の入力制御部の回線閉塞解除を行うことで、動的に入力回線の増設を行う。
【００２２】
また、本発明による通信装置では、振り分けを行わない入力予備回線の閉塞を行うことによって、消費電力低減を実現する。
【００２３】
カウンタ集計部では、カウンタ統計処理部にて一定時間に集計したカウンタ数の統計処理の結果（入力回線の帯域）と予め設定した閾値との比較を行い、閾値を超えた場合、入力予備回線の閉塞解除を行い、入力回線の増設を行う。また、カウンタ集計部では、入力回線の帯域が予め設定した閾値を下回った場合、入力予備回線の閉塞を行うことによって回線の減設を行う。
【００２４】
このように、本発明による通信装置では、入力帯域に応じて使用回線を増設、減設することによって、余剰回線で消費する電力を抑える構成としている。
【００２５】
図１は本発明の実施の形態による通信装置の構成例を示すブロック図である。図１において、本発明の実施の形態による通信装置は、入力制御部１−０〜１−ｎと、カウンタ収集部２−０〜２−ｎと、カウンタ統計処理部３−０〜３−ｎと、カウンタ集計部４と、回線制御管理部５と、回線集線管理部６と、回線集線部７とを備えて構成されており、回線集線部７はパケット受信部７１−０〜７１−ｎを備えている。
【００２６】
入力制御部１−０、カウンタ収集部２−０、カウンタ統計処理部３−０、パケット受信部７１−０はそれぞれ入力回線に対応して設けられており、入力制御部１−１〜１−ｎ、カウンタ収集部２−１〜２−ｎ、カウンタ統計処理部３−１〜３−ｎ、パケット受信部７１−１〜７１−ｎは入力予備回線＃１〜＃ｎに対応して設けられている。
【００２７】
カウンタ収集部２−０〜２−ｎは、入力制御部１−０〜１−ｎを通過するパケットを計数し、カウンタ統計処理部３−０〜３−ｎは、カウンタ収集部２−０〜２−ｎのカウンタ数の結果に対して一定時間単位の統計処理を行い、その統計処理の結果をカウンタ集計部４に送る。
【００２８】
カウンタ集計部４は、カウンタ統計処理部３−０〜３−ｎによる統計処理の結果が予め設定されている閾値を超えた場合、リンクアグリゲーションを構成する入力予備回線＃１以降への振り分けを行うため、回線集線部７によって予備回線の増設の準備、入力予備回線＃１以降の入力制御部１−０〜１−ｎの回線閉塞解除を行うことで、動的に入力回線の増設を行う。また、本発明の実施の形態による通信装置は、振り分けを行わない入力予備回線の閉塞を行うことによって、消費電力低減を実現する。
【００２９】
カウンタ集計部４は、カウンタ統計処理部３−０〜３−ｎで一定時間単位で統計処理したカウンタ数（入力回線の帯域）と予め設定した閾値との比較を行い、閾値を超えた場合、入力予備回線＃１〜＃ｎの閉塞解除を行い、入力回線の増設を行う。
【００３０】
また、本発明の実施の形態による通信装置は、入力回線の帯域があらかじめ設定した閾値を下回った場合、入力予備回線の閉塞を行うことによって、回線の減設を行う。本発明の実施の形態による通信装置では、この入力帯域に応じて使用回線の増設、減設を行うことによって、余剰回線で消費する電力を抑える構成としている。
【００３１】
図１を参照すると、本発明の実施の形態による通信装置は、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ）８０２．３ａｄで標準化されているリンクアグリゲーション機能を用いて複数の入力回線に対して回線集線部７で集約を行う構成となっている。
【００３２】
入力回線からのパケットに対しては、カウンタ収集部２−０にて受信したパケットのバイト数のカウントを行い、カウンタ統計処理部３にて予め設定された時間毎にカウンタ数の集計を行う。集計した結果は、カウンタ集計部４へ通知され、カウンタ集計部４に予め設定されている閾値と比較され、閾値を超えた場合にその旨が回線集線管理部６及び回線制御管理部５に通知される。
【００３３】
回線集線管理部６は、閾値を超えた旨が通知されると、どの入力回線が閉塞解除されているかを回線集線部７へ通知し、回線集線部７は、回線集線管理部６からの情報によって閉塞解除されている入力回線からのパケットを受信し、出力回線に向けてパケットを集約して出力する。
【００３４】
また、回線制御管理部５は、閾値を超えた旨が通知されると、振り分けを行う入力予備回線＃１〜＃ｎの入力制御部１−１〜１−ｎの回線の閉塞解除を行い、パケット受信可能な状態とする。振り分けが行われていない入力予備回線＃１〜＃ｎについては、回線制御管理部５からの指示で入力制御部１−１〜１−ｎの回線閉塞を行うことで、閉塞解除状態とすることによって消費される電力を抑える。
【００３５】
図２及び図３は図１に示す通信装置の動作を示すフローチャートであり、図４は図１に示すカウンタ集計部４内部で管理している振り分け、振り分け解除を判断するための閾値イメージを示す図である。図２及び図３は入力予備回線の振り分け、振り分け解除を行うまでの動作を示しており、この動作は通信装置内の図示せぬＣＰＵ（中央処理装置）がプログラムを実行することで実現可能である。これら図１〜図４を参照して本発明の実施の形態による通信装置の動作について説明する。
【００３６】
まず、入力予備回線＃１〜＃ｎを使用していない状態では、予備入力回線＃１〜＃ｎの入力制御部１−１〜１−ｎ、回線集線部７内のパケット受信部７１−１〜７１−ｎが未使用の状態のため、リセット処理によって機能停止状態とし、ここで消費する電力を制御する。
【００３７】
カウンタ収集部２−０は、入力回線からのパケットに対して、バイト数でカウントを行う（図２ステップＳ１）。また、カウンタ統計処理部３−０は、５分間隔でカウンタ収集部２−０からカウンタ情報を収集し、５分間で収集したバイト数から入力回線を通過する帯域の計算を行う（図２ステップＳ２）。このカウンタ統計処理部３−０で計算した帯域はカウンタ集計部４へ通知され、図４に示すように、回線毎に予め設定された閾値１、閾値２に従って、入力予備回線＃１〜＃ｎの振り分けの判断を実施する。
【００３８】
カウンタ集計部４は、集計した帯域が閾値１を超えた時点で入力予備回線＃１〜＃ｎへの振り分けが必要と判断し、閾値１を越えていない場合、入力予備回線＃１への振り分け処理は行わない（図２ステップＳ３）。カウンタ集計部４は、閾値１を超えた時点で、回線制御管理部５へ入力予備回線＃１〜＃ｎの使用可否情報の問い合せを行う（図２ステップＳ５）。
【００３９】
回線制御管理部５は、最若番の入力予備回線＃１の入力制御部１−１への問い合わせを行い、使用可能であった場合、カウンタ集計部４及び回線集線管理部６へ入力予備回線＃１の利用可能通知を行う。
【００４０】
回線集線管理部６は、入力予備回線＃１の状態を回線集線部７へ通知し、入力予備回線＃１のパケット受信部７１−１を使用可能な状態へ移行させるため、パケット受信部７１−１のリセット解除を行い、パケット受信可能な状態へ移行させる（図２ステップＳ６）。回線集線部７は、リセット解除後、回線集線管理部６に完了通知を行う。
【００４１】
回線集線管理部６は、回線集線部７からの通知を受信すると、カウンタ集計部４を経由して回線制御管理部５へ通知を行い、入力予備回線＃１の閉塞解除を行うため、入力制御部１−１のリセット解除を行い、機能を開始させる（図２ステップＳ７）。
【００４２】
もし、入力制御部１−１からの問い合わせの結果、入力予備回線＃１が使用不可であった場合、回線制御管理部５は、入力予備回線＃１の使用を中止し、予備回線が使用不可であることをカウンタ集計部４へ通知し、回線振り分けを実施しない（図２ステップＳ８）。
【００４３】
次に、入力予備回線＃１への振り分けの状態から振り分け解除するまでの動作について説明する。
【００４４】
カウンタ統計処理部３−０は、入力予備回線＃１への振り分け実施の場合と同様に、５分間隔でカウンタ収集部２からカウンタ情報を収集し、５分間で収集したバイト数から入力回線を通過する帯域の計算を行う（図３ステップＳ１１）。
【００４５】
カウンタ統計処理部３−０は、計算した帯域をカウンタ集計部４へ通知し、図４に示すように、回線毎に予め設定された閾値１、閾値２に従って、回線の振り分けの判断を実施する。
【００４６】
カウンタ集計部４は、集計した帯域が閾値２を下回った時点で入力予備回線＃１への振り分け処理の解除を行う（図３ステップＳ１２）。カウンター集計部４は、閾値２を下回ったことを検出すると、回線制御管理部５へ入力予備回線＃１の閉塞指示を行う。回線制御管理部５は、入力予備回線＃１の閉塞処理を行うため、入力制御部１−１に対してリセット処理を行い、機能を停止させる（図３ステップＳ１３）。
【００４７】
入力制御部１−１は、回線閉塞完了後、回線制御管理部５を経由してカウンタ集計部４へ完了通知を送信する。カウンター集計部４は、完了通知を受信すると、回線集線管理部６へ通知を転送し、回線集線部７に対して入力予備回線＃１のパケット受信部７１−１にリセット処理を実施して機能を停止させる（図３ステップＳ１４）。
【００４８】
以上の処理動作によって、入力予備回線＃１の閉塞が完了し、振り分け解除処理が完了する。
【００４９】
このように、本実施の形態では、パケット疎通として使用していない入力回線について閉塞処理を行うことによって、無駄なエネルギの消費を抑えることが可能となり、通信装置の消費電力を低減することができる。
【００５０】
尚、本実施の形態では、入力回線のカウンタ数から帯域を計算し、能動的に入力予備回線＃１〜＃ｎの閉塞／解除を行い、余剰回線の消費電力を抑える処理を行っているが、リンクアグリゲーションを構築している対向機器へ帯域計算結果を通知することによって受動的に入力予備回線＃１〜＃ｎの閉塞／解除を行うことも可能である。
【００５１】
この場合は、図１に示す通り、カウンタ集計部４の閾値の結果を振り分け制御信号によって対向機器へ通知し、制御信号を受信した対向機器で入力予備回線の閉塞／解除を行うこととなる。
【００５２】
また、本実施の形態では、対向機器からの入力予備回線＃１〜＃ｎの閉塞／解除状態によって、回線が閉塞されたと判断した自装置の入力予備回線をリセット処理により機能停止することも実現可能である。
【００５３】
上記の実施の形態の一部又は全部は、以下の付記のようにも記載され得るが、以下の記載に限定されない。
【００５４】
［付記１］
複数の物理回線を１本の論理回線として束ねるリンクアグリゲーション機能を用いて複数の入力回線に対して集約を行う回線集線手段を含む通信装置に用いる消費電力低減方法であって、
前記通信装置が、前記複数の入力回線各々の帯域を監視する監視処理と、前記監視処理による回線の帯域の監視結果に応じて前記複数の入力回線を動的に振り分ける振り分け処理とを実行し、
前記振り分け処理により現在使用している帯域に合わせて使用回線のみを使用し、
前記振り分け処理において、未使用の入力回線に対して回線閉塞を行いかつ当該入力回線に対応する機能に対してリセットによる機能停止を行うことを特徴とする消費電力低減方法。
【００５５】
［付記２］
前記通信装置に、前記入力回線からのパケットを通過させる入力制御手段を設け、
前記通信装置が、前記入力制御手段を通過するパケットを計数するパケットカウンタと、前記パケットカウンタのカウンタ数に対して一定時間単位の統計処理を行うカウンタ統計処理手段とにより前記監視処理を行い、
前記振り分け処理において、前記入力回線の閉塞を行う場合、前記入力制御手段と前記パケットカウンタと前記カウンタ統計処理手段とに対して前記機能停止を行うためのリセット指示を行い、前記入力制御手段、前記パケットカウンタ、前記カウンタ統計処理手段の機能を停止させることを特徴とする付記１に記載の消費電力低減方法。
【００５６】
［付記３］
前記振り分け処理において、前記入力回線の開放を行う場合、前記入力制御手段と前記パケットカウンタと前記カウンタ統計処理手段とに対して指示しているリセット指示を解除し、前記入力制御手段、前記パケットカウンタ、前記カウンタ統計処理手段の機能を動作させることを特徴とする付記２に記載の消費電力低減方法。
【００５７】
［付記４］
前記振り分け処理において、前記カウンタ統計処理手段から通知される統計処理の結果を集計し、その集計した統計処理の結果と予め設定した第１の閾値及び第２の閾値と比較し、前記第１の閾値を超えた場合に前記入力回線の閉塞解除を行い、前記第２の閾値を下回った場合に前記入力回線の閉塞を行うことを特徴とする付記２または付記３に記載の消費電力低減方法。
【００５８】
［付記５］
複数の物理回線を１本の論理回線として束ねるリンクアグリゲーション機能を用いて複数の入力回線に対して集約を行う回線集線手段を含む通信装置に用いる消費電力低減方法であって、
前記通信装置が、前記複数の入力回線各々の帯域を監視する監視処理と、前記監視処理による回線の帯域の監視結果を前記リンクアグリゲーションを構築している対向機器へ通知することで前記複数の入力回線を振り分ける振り分け処理とを実行し、
前記振り分け処理により受動的に前記入力回線の閉塞と閉塞解除とを行い、
前記対向機器からの前記入力回線の閉塞と閉塞解除との状態によって前記入力回線が閉塞されたと判断した場合に前記通信装置の入力回線をリセット処理により機能停止することを特徴とする消費電力低減方法。
【００５９】
［付記６］
複数の物理回線を１本の論理回線として束ねるリンクアグリゲーション機能を用いて複数の入力回線に対して集約を行う回線集線手段を含む通信装置内の中央処理装置に実行させるプログラムであって、
前記複数の入力回線各々の帯域を監視する監視処理と、前記監視処理による回線の帯域の監視結果を前記リンクアグリゲーションを構築している対向機器へ通知することで前記複数の入力回線を振り分ける振り分け処理とを含み、
前記振り分け処理により受動的に前記入力回線の閉塞と閉塞解除とを行わせることを特徴とするプログラム。
【符号の説明】
【００６０】
１−０〜１−ｎ  入力制御部
２−０〜２−ｎ  カウンタ収集部
３−０〜３−ｎ  カウンタ統計処理部
４  カウンタ集計部
５  回線制御管理部
６  回線集線管理部
７  回線集線部
７１−０〜７１−ｎ  パケット受信部
【図１】
2011244225.tif 000003
【図２】
2011244225.tif 000004
【図３】
2011244225.tif 000005
【図４】
2011244225.tif 000006